(57)【要約】【課題】  手袋をしたままでも取扱いが容易なナース・テープを提供する。【解決手段】  薄いテープ状の基体の一面にその全長にわたって粘着剤を塗布した粘着テープの粘着面３に、その長さ方向に沿って、少なくとも一面が粘着性を有しない操作片４を、一定の間隔で、かつ粘着テープを横断するように貼着し、各操作片４にこれを横断するミシン目５を形成し、ロール状に巻かれたナース・テープの端の操作片４をロールから浮かせることにより手袋をした手指でもテープの端を容易に摘むことができるようにし、更に、粘着部３をロールから引き剥がした後、次の操作片４をミシン目に沿って切離す。【選択図】  図２
2007295948.tif 000002
【特許請求の範囲】
【請求項１】
薄いテープ状の基体の一面にその全長にわたって粘着剤を塗布した粘着テープの粘着面に、その長さ方向に沿って、少なくとも一面が粘着性を有しない操作片を、一定の間隔で、かつ粘着テープを横断するように貼着したことを特徴とするナース・テープ。
【請求項２】
薄いテープ状の基体の一面にその全長にわたって粘着剤を塗布した粘着テープの粘着面に、その長さ方向に沿って、少なくとも一面が粘着性を有しない操作片を、一定の間隔で、かつ粘着テープを横断するように貼着すると共に、操作片の中央部に少なくとも１個の開口を形成し、この開口から粘着面を露呈させたことを特徴とするナース・テープ。
【請求項３】
薄いテープ状の基体の一面にその全長にわたって粘着剤を塗布した粘着テープの粘着面に、その長さ方向に沿って、少なくとも一面が粘着性を有しない操作片を、一定の間隔で、かつ粘着テープを横断するように貼着すると共に、操作片にこれを横断するミシン目を形成したことを特徴とするナース・テープ。
【請求項４】
薄いテープ状の基体の一面にその全長にわたって粘着剤を塗布した粘着テープの粘着面に、その長さ方向に沿って、少なくとも一面が粘着性を有しない操作片を、一定の間隔で、かつ粘着テープを横断するように貼着すると共に、操作片にこれを横断するミシン目を形成し、更に、このミシン目に沿う少なくとも１個の開口を形成し、この開口から粘着面を露呈させたことを特徴とするナース・テープ。
【請求項５】
ナース・テープの基体の幅より大きい幅を有する素材シートの一面に、その全面にわたって粘着剤を塗布すると共に、その粘着面に、長さ方向に沿ってかつ一定の間隔で、粘着面を横断する操作テープを貼着し、これを素材シートの長さ方向に延在する切断線によって複数のナース・テープに分割することを特徴とするナース・テープの製造方法。
【請求項６】
ナース・テープの基体の幅より大きい幅を有する素材シートの一面に、その全面にわたって粘着剤を塗布すると共に、その粘着面に、長さ方向に沿ってかつ一定の間隔で、長さ方向に沿って所定の間隔で開口を形成した操作テープを粘着面を横断するように貼着し、これを素材シートの長さ方向に延在する切断線によって複数のナース・テープに分割することを特徴とするナース・テープの製造方法。
【請求項７】
ナース・テープの基体の幅より大きい幅を有する素材シートの一面に、その全面にわたって粘着剤を塗布すると共に、その粘着面に、長さ方向に沿ってかつ一定の間隔で、粘着面を横断する操作テープを貼着し、一方、各操作テープにこれを縦断するミシン目を形成し、これを素材シートの長さ方向に延在する切断線によって複数のナース・テープに分割することを特徴とするナース・テープの製造方法。
【請求項８】
ナース・テープの基体の幅より大きい幅を有する素材シートの一面に、その全面にわたって粘着剤を塗布すると共に、その粘着面に、長さ方向に沿ってかつ一定の間隔で、粘着面を横断する操作テープを貼着し、一方、各操作テープにこれを縦断するミシン目を形成すると共に、このミシン目に沿って所定の間隔で開口を形成し、これを素材シートの長さ方向に延在する切断線によって複数のナース・テープに分割することを特徴とするナース・テープの製造方法。
【発明の詳細な説明】
【技術分野】
【０００１】
この発明は、新規なナース・テープに係り、特に、手袋をしたままでも取扱いが容易なナース・テープに関する。
【０００２】
なお、このナース・テープなる用語は本発明者による造語であり、その実体は医療用の粘着テープである。
【背景技術】
【０００３】
通常サージカルテープと称される医療用粘着テープ１は、下記非特許文献１に記載されているように、また、図１に示すように、一面に粘着剤を塗着した細長い粘着テープであり、例えばロール状に巻かれたものから所定の長さを切り取り、或いは千切り取り、例えば点滴のチューブや透析用のチューブを仮に固定するために用いられる。
【特許文献１】特願２００６−１０８３０８
【非特許文献１】ニチバン（登録商標）カタログ
【発明の開示】
【発明が解決しようとする課題】
【０００４】
しかして、近年、例えばＨＩＶ（エイズウイルス）等の感染源から医療従事者を保護するため、医療の際薄いゴム手袋等を装着することが奨励されている。
【０００５】
しかしながら、このゴム手袋等を装着した状態でサージカルテープを千切り、或いは手で摘んでサージカルテープを取扱うと、手袋にサージカルテープが強く粘着してしまい、直接手指の皮膚に粘着した場合と比較して剥がれ難く、取扱いが面倒でまた作業能率も低下する、という不都合が生じる。
【０００６】
本発明者等は、上記特許文献１を以て、上記した既存のサージカルテープをゴム手袋等で取扱う場合の不都合を解消し、手袋をしていても取扱いが容易なナース・テープを提案した。
【０００７】
しかしながら、上記本発明者等が提案した発明によるナース・テープは、これを効率良く製造するためには新規な製造設備を必要とする。
【０００８】
この発明は、従来のサージカルテープの製造設備を利用して製造でき、しかも同様の機能を有するナース・テープ及びその製造方法を提供することを目的としている。
【課題を解決するための手段】
【０００９】
上記の目的を達成するため、請求項１に記載の発明は、薄いテープ状の基体の一面にその全長にわたって粘着剤を塗布した粘着テープの粘着面に、その長さ方向に沿って、少なくとも一面が粘着性を有しない操作片を、一定の間隔で、かつ粘着テープを横断するように貼着したことを特徴とする。
【００１０】
また、請求項２に記載の発明は、薄いテープ状の基体の一面にその全長にわたって粘着剤を塗布した粘着テープの粘着面に、その長さ方向に沿って、少なくとも一面が粘着性を有しない操作片を、一定の間隔で、かつ粘着テープを横断するように貼着すると共に、操作片の中央部に少なくとも１個の開口を形成し、この開口から粘着面を露呈させたことを特徴とする。
【００１１】
更にまた、請求項３に記載の発明は、薄いテープ状の基体の一面にその全長にわたって粘着剤を塗布した粘着テープの粘着面に、その長さ方向に沿って、少なくとも一面が粘着性を有しない操作片を、一定の間隔で、かつ粘着テープを横断するように貼着すると共に、操作片にこれを横断するミシン目を形成したことを特徴とする。
【００１２】
また、請求項４に記載の発明は、薄いテープ状の基体の一面にその全長にわたって粘着剤を塗布した粘着テープの粘着面に、その長さ方向に沿って、少なくとも一面が粘着性を有しない操作片を、一定の間隔で、かつ粘着テープを横断するように貼着すると共に、操作片にこれを横断するミシン目を形成し、更に、このミシン目に沿う少なくとも１個の開口を形成し、この開口から粘着面を露呈させたことを特徴とする。
【００１３】
ナース・テープの製造方法としての請求項５に記載の発明は、ナース・テープの基体の幅より大きい幅を有する素材シートの一面に、その全面にわたって粘着剤を塗布すると共に、その粘着面に、長さ方向に沿ってかつ一定の間隔で、粘着面を横断する操作テープを貼着し、これを素材シートの長さ方向に延在する切断線によって複数のナース・テープに分割することを特徴とする。
【００１４】
また、請求項６に記載の発明は、ナース・テープの基体の幅より大きい幅を有する素材シートの一面に、その全面にわたって粘着剤を塗布すると共に、その粘着面に、長さ方向に沿ってかつ一定の間隔で、長さ方向に沿って所定の間隔で開口を形成した操作テープを粘着面を横断するように貼着し、これを素材シートの長さ方向に延在する切断線によって複数のナース・テープに分割することを特徴とする。
【００１５】
更にまた、請求項７に記載の発明は、ナース・テープの基体の幅より大きい幅を有する素材シートの一面に、その全面にわたって粘着剤を塗布すると共に、その粘着面に、長さ方向に沿ってかつ一定の間隔で、粘着面を横断する操作テープを貼着し、一方、各操作テープにこれを縦断するミシン目を形成し、これを素材シートの長さ方向に延在する切断線によって複数のナース・テープに分割することを特徴とする。
【００１６】
請求項８に記載の発明は、ナース・テープの基体の幅より大きい幅を有する素材シートの一面に、その全面にわたって粘着剤を塗布すると共に、その粘着面に、長さ方向に沿ってかつ一定の間隔で、粘着面を横断する操作テープを貼着し、一方、各操作テープにこれを縦断するミシン目を形成すると共に、このミシン目に沿って所定の間隔で開口を形成し、これを素材シートの長さ方向に延在する切断線によって複数のナース・テープに分割することを特徴とする。
【発明の効果】
【００１７】
上記のように構成された請求項１及び３に記載の発明によるナース・テープは、基体の幅方向から見て蛇の目状に巻かれているものでも、或いは細長い形態のものも、端部は粘着剤が塗着されていない操作片となっているので、これをゴム手袋をした手指で摘んでもテープが粘着することがなく、更に、粘着部を引き剥がした次の操作片を鋏で切断し、或いはミシン目に沿って引き破り、或いは手指で引き千切ることにより、ゴム手袋等を粘着部に接触させることなくナース・テープを切り取り、所定の目的に使用することができる。
【００１８】
また、従来のサージカルテープは両端が患者の皮膚に密着するので、これを剥がすとき患者の皮膚を手指で挟んで引き剥がすことがあり、この場合には患者の皮膚に傷がつくが、この発明によるナース・テープは最初から端部が皮膚から浮いているので患者の皮膚を傷つけることがない。
【００１９】
更にまた、請求項２及び４に記載の発明によるナース・テープは、スペーサー部の端部に小粘着部が形成され、これを皮膚に接着させることによりスペーサー部の浮き上がりを防止でき、例えばナース・テープの上の衣服を着脱する際にもナース・テープによる固定を安定に保つことがという別の利点が生じる。
【００２０】
更にまた、請求項５乃至８に記載の発明によれば、ナース・テープの基体の幅より大きい幅を有する素材シートの一面に、その全面にわたって粘着剤を塗布すると共に、その粘着面に、長さ方向に沿ってかつ一定の間隔で、粘着面を横断する操作テープを貼着し、これを素材シートの長さ方向に延在する切断線によって複数のナース・テープに分割することを特徴とする素材シートにその幅方向に延在する粘着部と、幅方向に延在するスペーサー部とを交互に配設し、これを素材シートの長さ方向に延在する切断線によって複数のナーステープに分割する、という簡単な構成で効率良く、かつ従来のサージカルテープの中間成形品を利用してナース・テープを製造することができる。
【発明を実施するための最良の形態】
【００２１】
薄いテープ状の基体の一面にその全長にわたって粘着剤を塗布した粘着テープの粘着面に、その長さ方向に沿って、少なくとも一面が粘着性を有しない操作片を、一定の間隔で、かつ粘着テープを横断するように貼着する、という簡単な構成でゴム袋をしていても取扱いが容易なナース・テープを提供できた。
【実施例１】
【００２２】
次に、図２を参照して請求項３に記載の発明を説明する。請求項３に記載の発明を説明することにより、同時に請求項１に記載の発明を説明することになる。
【００２３】
図２において符号２は基体を示し、この基体２は、紙、ガーゼ様布、セロファン、アセテートクロス、不織布、或いはポリオレフィン系フィルム等の材質の薄いテープ状の材質である。
【００２４】
そして、その幅（図２で上下方向の寸法）は、例えば１５ｍｍ（粍）程度の、通常のサージカルテープと同様に設定されている。
【００２５】
この基体２の一面（図２で手前側の面）には、その長さ方向（図２で左右方向）の全長に沿って、通常のサージカルテープと同様の例えばアクリル系粘着剤等を塗布した粘着面３となっている。
【００２６】
そして、この粘着面３上には、図２及び図３に示すように、その長さ方向に沿って、少なくとも一面が粘着性を有しない操作片４、４が、一定の間隔で、かつ粘着面３を横断するように貼着されている。
【００２７】
この操作片４は、薄い紙、セロファン、或いはビニール片等、少なくとも一面が粘着性を有しない小片で、粘着性を有しない面を図３で上にして、基体２及び操作片４によって粘着剤８を挟むようにして、粘着面３上に貼着されている。
【００２８】
この場合、操作片４と接触する部分の粘着剤８は、操作片を粘着面３に固定する役割を果たしている。
【００２９】
また、図２に示す実施例では、各操作片部４の長さ方向の中央部を横断するようにミシン目５が形成されている。
【００３０】
このミシン目５は、その形成方法を含めて周知であるから、更に詳細な説明は省略する。
【００３１】
上記のように構成された請求項３に記載の発明の一実施例によるナース・テープは、通常の粘着テープと同様に幅方向から見て蛇の目状に巻かれるか、或いは所定の長さに切断後袋に入れて提供される。
【００３２】
ちなみに、上記ナース・テープを蛇の目状に巻く場合、裏面側は粘着面３と接着するが後に容易に剥離できるように非粘着剤コーキングを施すか、或いは粘着部３とは接着しない保護テープを間に介在させて巻くものとする。
【００３３】
上記のように構成されたナース・テープは、巻き終わり部、すなわち蛇の目状に巻かれたものの端部は操作片４となっており浮いているから、浮いている部分をゴム手袋をした手指で摘んで剥がし、次の操作片４を指で押えてミシン目に沿って引き千切ることにより必要な長さのナース・テープを切り取ることができる。
【００３４】
以後、両端のスペーサー部を手指で挟んで例えば透析用のチューブを患者に仮に固定すれば、粘着部３を手袋に触れさせることなく所定の作業を完了することができる。
【実施例２】
【００３５】
図４は請求項５に記載の発明の一実施例による製造方法を示し、図４に示すものは、例えば幅（左右方向の寸法）が５０ｃｍ（センチメートル）、長さが２０ｍ（メートル）程度の素材シートの一面に、その長さ方向（図４で上下方向）に沿って、かつ素材シートを幅方向に横断するように、一定幅の操作テープ４を一定の間隔で貼着したものである。
【００３６】
図４に示すようなシートを製造するには、図５及び図６に示すように、素材シート上に従来のサージカルテープの製造方法と同じようにして、例えば塗布ローラーにより素材シートの全面に粘着剤８を塗着して粘着面３を形成しておく。
【００３７】
次いで、ロール状に巻いた操作テープ４を素材シートの幅方向に移動させて、図４に示すような中間成形品を製造し、これを素材シートの長さ方向に延在する切断線によって複数のナーステープに分割する。
【００３８】
なお、操作テープ４を粘着面上に貼着していくとき、例えばロール状に巻いた操作テープ４の芯に通した軸を手で持って左右方向に移動させてもよいが、機械装置を用い、操作テープを例えば図５で右方に移動させて素材シートの右側の端縁に到達したとき、これを左方に戻すと共に、同期して素材シートを上方に所定の距離移動させる、という操作を繰り返すようにしてもよい。
【００３９】
このとき、操作テープの複数巻を素材シートの長さ方向に連設して同時に素材シート状に貼着するようにすれば、作業能率が向上する。
【００４０】
上記素材シートの材質は、勿論、ナース・テープのそれと同じであり、上記のようにして粘着部３と操作テープ４とを交互に配設した素材シートを所定の幅に切断するには、素材シートを長さ方向に巻いてロール状にしてから切断してもよいし、或いは、シートの侭スリッターに掛けて所定の幅に切断し、しかる後蛇の目状に巻いてもよい。
【００４１】
なお、素材シートの裏面側に非粘着剤コーキングを施すか、或いは、巻くときに保護テープと一緒に巻くことは勿論である。
【実施例３】
【００４２】
図７は請求項４に記載の発明の一実施例によるナース・テープを示し、このナース・テープが図２に示すもの（請求項３に記載の発明によるもの）との相違は、各操作片４のミシン目５に沿って、少なくとも１個（図示のものは２個）の開口６が形成されていることである。
【００４３】
この開口６の存在により、開口６から粘着面３が露呈するから、ナース・テープをミシン目５に沿って千切って使用するとき、半円形の開口６から除く接着面を利用して操作片４を皮膚に固定できる。
【００４４】
そのための利点は、例えば上に衣服を着るときその衣服との摩擦係合により操作片４が立ち上がることがなく、したがってナース・テープによる固定が安定に保たれる。
【００４５】
なお、ナース・テープをミシン目５に沿って千切り取るとき、場合によっては開口６に露呈する粘着面３が手袋に付着することがあるが、粘着面の面積が小さいときには直に剥がれるので使用上の不都合は生じない。
【００４６】
ちなみに、図７に示すようなナース・テープを製造するには、図５に示す操作テープ４に替えて、図８に示すように操作テープ４を縦断するミシン目５に沿って所定の間隔で開口６、６を形成したものを粘着面３上に貼着し、しかる後素材シートの長さ方向に延在する切断線によって複数のナース・テープに分割すればよい。
【図面の簡単な説明】
【００４７】
【図１】サージカルテープの使用の一態様を示す線図。
【図２】請求項３に記載の発明によるナース・テープの一部平面図。
【図３】ナース・テープの側面図で、厚さ方向の寸法を誇張して示す。
【図４】ナース・テープの製造工程を説明するための線図。
【図５】ナース・テープの製造工程を説明するための線図。
【図６】ナース・テープの製造工程を説明するための線図。
【図７】請求項４に記載の発明によるナース・テープの一部平面図。
【図８】請求項４に記載の発明によるナース・テープを製造するときに用いる操作テープの一部平面図。
【符号の説明】
【００４８】
１  サージカルテープ
２  基体
３  粘着面
４  操作片
５  ミシン目
６  開口
８  粘着剤
【図１】
2007295948.tif 000003
【図２】
2007295948.tif 000004
【図３】
2007295948.tif 000005
【図４】
2007295948.tif 000006
【図５】
2007295948.tif 000007
【図６】
2007295948.tif 000008
【図７】
2007295948.tif 000009
【図８】
2007295948.tif 000010